(57)【要約】【課題】  折り畳み自在な長物収納袋であって、コンパクトに体裁良くそれを折り畳み収納することができるものの提供。【解決手段】  一対の皿状部材１を連結部２により連結すると共に、両者間にファスナ３を設ける。そして一方の皿状部材１に筒状の本体４を取付け、他方の皿状部材１を連結部２の周りに 360度回転できるようにする。【選択図】        図２
0003108958.tif 000002
【実用新案登録請求の範囲】
【請求項１】
互いに整合する外周を有し対向配置される一対の皿状部材(1) と、
その一対の皿状部材(1) をその対向面が逆向きの反転可能となるように、両皿状部材(1) の外周の一部のみの間を連結した連結部(2) と、
その連結部(2) を除き、対向する一対の皿状部材(1) の外周の間を開閉自在に閉塞するファスナ(3) と、
一方の前記皿状部材(1) の一方の平面を底部として、布または柔軟なシート材よりなる折り畳み自在な筒状の本体(4) と、を具備し、
その本体(4) を折り畳んで一対の皿状部材(1) 間に収納した状態で、前記ファスナ(3) によりそれらの外周を閉塞して、全体を偏平に形成できると共に、
前記本体(4) を引き延ばして、内部に長物(12)を挿脱自在に収納できるようにした折り畳み自在な長物収納袋。
【請求項２】
請求項１において、
他方の皿状部材(1) を 360度反転し、両皿状部材(1) の外周間を前記ファスナ(3) により閉塞して両皿状部材(1) 間を偏平に形成できるように構成した折り畳み自在な長物収納袋。
【請求項３】
請求項１において、
一対の前記皿状部材(1) は、所定の剛性を有する一対の平板(1a)と、その平板(1a)の周縁に環状に立ち上げられた可撓性の一対の可撓性環状体(1b)とを有し、
その一対の可撓性環状体(1b)の一部どうしが連結されて前記連結部(2) を構成し、
その連結部(2) を除き、一対の可撓性環状体(1b)の縁どうしがファスナ(3) により開閉自在に閉塞された折り畳み自在な長物収納袋。
【請求項４】
請求項１において、
一対の前記皿状部材(1) は、所定の剛性を有し、周縁に立ち上げ縁部(5a)が一体に形成された一対の縁付き平板(5) と、その縁付き平板(5) の周縁に環状に立ち上げられた可撓性の一対の可撓性環状体(1b)とを有し、
その一対の可撓性環状体(1b)の一部どうしが連結されて前記連結部(2) を構成し、
その連結部(2) を除き、一対の可撓性環状体(1b)の縁どうしがファスナ(3) により開閉自在に閉塞された折り畳み自在な長物収納袋。
【請求項５】
請求項４において、
前記本体(4) を引き延ばして使用する際、他方の縁付き平板(5) を 360度反転すると、その立ち上げ縁部(5a)の先端縁が下面側に位置するように構成された折り畳み自在な長物収納袋。
【考案の詳細な説明】
【技術分野】
【０００１】
本考案は、コンパクトに体裁良く折り畳むことができる折り畳み自在な長物収納袋に関する。
【背景技術】
【０００２】
傘等の長物を入れる収納袋は、傘の折り畳み状態の外周に整合する形状に、布地を袋状に縫製したものである。傘の使用時には、収納袋は取手等に縛りつけられ、あるいは衣服のポケットや、カバン等に入れられる。
【考案の開示】
【考案が解決しようとする課題】
【０００３】
従来の長物収納袋は、不使用時の状態が不体裁で、その始末が面倒である欠点があった。
そこで本考案は、係る問題点を解決することを課題とする。
【課題を解決するための手段】
【０００４】
請求項１に記載の本考案は、互いに整合する外周を有し対向配置される一対の皿状部材(1) と、
その一対の皿状部材(1) をその対向面が逆向きの反転可能となるように、両皿状部材(1) の外周の一部のみの間を連結した連結部(2) と、
その連結部(2) を除き、対向する一対の皿状部材(1) の外周の間を開閉自在に閉塞するファスナ(3) と、
一方の前記皿状部材(1) の一方の平面を底部として、布または柔軟なシート材よりなる折り畳み自在な筒状の本体(4) と、を具備し、
その本体(4) を折り畳んで一対の皿状部材(1) 間に収納した状態で、前記ファスナ(3) によりそれらの外周を閉塞して、全体を偏平に形成できると共に、
前記本体(4) を引き延ばして、内部に長物(12)を挿脱自在に収納できるようにした折り畳み自在な長物収納袋である。
【０００５】
請求項２に記載の本考案は、請求項１において、
他方の皿状部材(1) を 360度反転し、両皿状部材(1) の外周間を前記ファスナ(3) により閉塞して両皿状部材(1) 間を偏平に形成できるように構成した折り畳み自在な長物収納袋である。
請求項３に記載の本考案は、請求項１において、
一対の前記皿状部材(1) は、所定の剛性を有する一対の平板(1a)と、その平板(1a)の周縁に環状に立ち上げられた可撓性の一対の可撓性環状体(1b)とを有し、
その一対の可撓性環状体(1b)の一部どうしが連結されて前記連結部(2) を構成し、
その連結部(2) を除き、一対の可撓性環状体(1b)の縁どうしがファスナ(3) により開閉自在に閉塞された折り畳み自在な長物収納袋である。
【０００６】
請求項４に記載の本考案は、請求項１において、
一対の前記皿状部材(1) は、所定の剛性を有し、周縁に立ち上げ縁部(5a)が一体に形成された一対の縁付き平板(5) と、その縁付き平板(5) の周縁に環状に立ち上げられた可撓性の一対の可撓性環状体(1b)とを有し、
その一対の可撓性環状体(1b)の一部どうしが連結されて前記連結部(2) を構成し、
その連結部(2) を除き、一対の可撓性環状体(1b)の縁どうしがファスナ(3) により開閉自在に閉塞された折り畳み自在な長物収納袋である。
【０００７】
請求項５に記載の本考案は、請求項４において、
前記本体(4) を引き延ばして使用する際、他方の縁付き平板(5) を 360度反転すると、その立ち上げ縁部(5a)の先端縁が下面側に位置するように構成された折り畳み自在な長物収納袋である。
【考案の効果】
【０００８】
本考案は、一方の皿状部材１を底部として筒状の本体４が折り畳み自在に形成され、一対の皿状部材１間にその本体４が収納されて、ファスナ３によりそれらの外周を閉塞して偏平状態に形成できるから、収納袋を使用しないとき、コンパクトで体裁よく持ち運びが容易である。
また、本体４を引き延ばして、他方の皿状部材１を連結部２を介して 360度反転することができるものは、その状態で両皿状部材１の外周間をファスナ３により閉塞して皿状部材１間を偏平に形成するようにできるから、折り畳み傘等の長物12を収納する際には、底部を二重底とし、安定が良く且つ長物の収納時の使い勝手の良い折り畳み自在な長物収納袋となり得る。
【０００９】
上記構成に加えて、皿状部材１が所定の剛性を有する一対の平板１ａと、その周縁に立ち上げられた可撓性で環状の一対の可撓性環状体１ｂとを有し、その可撓性環状体１ｂの一部どうしが連結されて連結部２を構成し、可撓性環状体１ｂの縁どうしがファスナ３により開閉自在に閉塞されたものは、本体４を一対の平板１ａ間に収納してファスナ３によりその外周を閉塞することが容易である。それと共に、本体４を引き延ばして他方の平板１ａを反転させ、その外周をファスナ３で閉塞したとき、剛性を有する平板１ａの存在により、底部が安定している。また、ファスナ３の開閉動作が容易となり使い勝手がよい。
【００１０】
さらに上記構成に加えて、皿状部材１を構成する縁付き平板５がその周縁に立ち上げ縁部５ａを一体に有し、その縁付き平板５の周縁に可撓性環状体１ｂが設けられ、一対の可撓性環状体１ｂどうしがファスナ３により開閉自在に閉塞されるものは、特に、折り畳み傘等の長物収納時において二重底に形成される一対の縁付き平板５の剛性が大きくなり、長物収納時の底部の安定性をさらに増すことができる。
また、本体４を内部に収納して折り畳むときにおいても、コンパクトで体裁の良い状態を維持し得る。
【００１１】
上記構成に加えて、本体４を引き延ばして、縁付き平板５を 360度反転したとき、その立ち上げ縁部５ａの先端縁が下面側に位置するようにしたものは、折り畳み傘等の長物収納時にも、さらに体裁がよくなる。
【考案を実施するための最良の形態】
【００１２】
次に、図面に基づいて本考案の実施の形態につき説明する。
図１〜図７は本考案の第１の実施の形態を示す折り畳み自在な長物収納袋であり、図１はその本体４を折り畳み状態で、その一方の皿状部材１を開放した状態を示す斜視図であり、図２は同状態から本体４を引き延ばした状態を示し、図３はさらに他方の皿状部材１を下側に反転した状態を示し、図４はその後にファスナ３により一対の皿状部材１間を閉塞した状態を示す。また、図５はその長物収納袋14に長物12として折り畳み傘15収納した状態を示し、図６は図５の下部縦断面略図、図７は一対の皿状部材１内に本体４を収納した状態を示す斜視図である。
この折り畳み自在な長物収納袋14は、図１に示す如く一対の皿状部材１内に折り畳み自在な布製（または軟質プラスチックフィルム、以下同じ）の本体４が収納され、ファスナ３によって図７の如くコンパクトに保持されるものである。
【００１３】
一対の皿状部材１は、図６の説明図に示す如く、革やボール紙、縫製可能なプラスチック板等によるある程度の（所定の）剛性を有する平板１ａの外周に軟質樹脂フィルムや不織布が被蔽され、両者間が縫着される。
そして一対の皿状部材１は図５の如く、その端部で連結部２によって連結されている。  図６の上側に位置する平板１ａは、本体４の底面となる。即ち、筒状に形成された下端縁が環状に皿状部材１の周縁に縫着等により取付けられる。また、一対の皿状部材１，１の周縁部は環状に立ち上げられた可撓性環状体１ｂが設けられ、その可撓性環状体１ｂの端縁にファスナ３が取付けられる。そしてそのファスナ３にスライダ13およびつまみ８，８ａ、鎖11が係止され、つまみ８，８ａを介しスライダ13を引っ張ることにより図５の如く一対の皿状部材１間を閉塞する。なお、図示の例では一対のつまみ８，８ａがスライダ13の内面側と外面側とにそれぞれ係止されている。
【００１４】
本体４の上端には、図３に示す如く、開口９が設けられる。開口９の周縁は、折り返されてそこに紐挿通部６を形成し、その紐挿通部６に紐10が環状に挿通され、その紐10の端部が紐挿通部６から外部に導かれ、その先端にストッパ７が取付けられている。なお、この例では本体４の内部に防水袋４ａが収納され、その上端開口縁部が本体４の開口に止着されている。そして収納物から出た水が内部に溜まっても、それが底の縫製部より外部にしみ出ないように保持する。防水袋４ａとしては、軟質な塩化ビニール製フィルムや、ポリプロピレンフィルムその他を用いることができる。
このようにしてなる本考案の折り畳み自在な長物収納袋は、図１，図７の如く内部に本体４を折り畳んで、ファスナ３を閉塞することより、本体４を体裁よく内部にコンパクトに収納する。この状態で、鎖11に図示しない係止部品を取付て、傘の柄等にぶら下げることができる。
【００１５】
次に、この折り畳み自在な長物収納袋に折り畳み傘等の長物12を収納するには、図７の状態からつまみ８を介してスライダ13を移動することにより、図１の如く一対の皿状部材１，１間を開放する。次いで、図２の如く内部の本体４を引き上げる。次いで、図２の状態から皿状部材１を連結部２の周りにさらに回転させ図３の状態を経て、つまみ８ａを介してスライダ13を移動することにより図４の状態にする。すると、本体４の底部は図６の如く二重底になり、剛性ある平板１ａが底部に二枚配置され、安定して本体４を立設することができる。そしてその本体４の開口９から、一例として折り畳み傘等の長物12を挿入し、次いで、紐10を引っ張ると共にストッパ７を移動することにより、図５の状態にする。これによって、内部に収納された折り畳み傘等の長物12が収納される。
【００１６】
次に、図８，図９は本考案の長物収納袋14の他の実施の形態を示す斜視図であり、この例が図４のそれと異なる点は、底部を構成する皿状部材１の形状が矩形であることである。これは、長物12としての折り畳み傘の畳み状態の断面が矩形であることに整合させたものである。
次に、図１０，図１１は本考案の長物収納袋14のさらに他の実施の形態を示す斜視図であり、長物12として通常の傘を収納するものであり、本体４の長さを傘の全長に等しくしたものである。そのため、図１１のように折り畳み状態では、その厚みが他の実施例より厚くなる。なお、この例でも、本体４の内部に防水袋４ａが収納され、その上端開口縁部が本体４の開口に止着されている。そして傘から出た水が内部に溜まっても、それが外部にしみ出ないように保持する。防水袋４ａとしては、前記同様に軟質な塩化ビニール製フィルムや、ポリプロピレンフィルムその他を用いることができる。
【００１７】
次に、図１２は本考案の折り畳み自在な長物収納袋の底部の他の例である。
この例は、一対の皿状部材１がプラスチック製等の所定の剛性を有する縁付き平板５からなる。即ち、周縁が立ち上げられた縁付き平板５の外周に夫々可撓性環状体１ｂが縫着，接着等の手段により取付けられ、その縁にファスナ３が設けられる。また、上側に位置する皿状部材１に本体４の下端が固定される。図１2 において、下側の縁付き平板５は立ち上げ縁部５ａが下方に突出し、それが机等の平面に着座できるものである。このように下側の皿状部材１が凹陥することにより、平面に本折り畳み自在な長物収納袋を安定して載置することができる。
なお、本体４を上側の皿状部材１に収納したときには、下側の皿状部材１は図１２の状態から 360度反転し、夫々の立ち上げ縁部５ａの縁部どうしが対向する。そしてその内部に本体４が収納されるものである。
【００１８】
次に、図１３は本考案の折り畳み自在な長物収納袋の底部の他の実施例であり、この例は、縁付き平板５の立ち上げ縁部５ａに本体４の下端および可撓性環状体１ｂの縁部を取付け、折返し部５ｂによってそれらを止着したものである。そして、夫々の可撓性環状体１ｂの縁部にファスナ３を取付ける。
このようにすることにより、組立が容易で量産性の高い折り畳み自在な長物収納袋となる。
【図面の簡単な説明】
【００１９】
【図１】本考案の折り畳み自在な長物収納袋であって、本体４の折り畳み収納状態で、一対の皿状部材１を開放した状態を示す斜視図。
【図２】同長物収納袋の本体４を一方の皿状部材１上に立ち上げた状態を示す斜視図。
【図３】同長物収納袋の他方の皿状部材１を図２の状態から反転させた状態を示す斜視図。
【図４】図３の状態からファスナ３により一対の皿状部材１間を閉塞した状態を示す斜視図。
【図５】図４の長物収納袋に長物12として折り畳み傘を収納した状態を示す斜視図。
【図６】図５の下部縦断面図。
【００２０】
【図７】同長物収納袋の一対の皿状部材１内に本体４を折り畳んで収納した状態を示す斜視図。
【図８】本考案の長物収納袋の他の実施例を示す斜視図。
【図９】同折り畳み状態を示す斜視図。
【図１０】本考案の長物収納袋の他の実施例を示す斜視図。
【図１１】同折り畳み状態を示す斜視図。
【図１２】本考案の長物収納袋の他の実施の形態を示す要部断面説明図。
【図１３】本考案の長物収納袋のさらに他の実施の形態を示す要部断面説明図。
【符号の説明】
【００２１】
１  皿状部材
１ａ  平板
１ｂ  可撓性環状体
２  連結部
３  ファスナ
４  本体
４ａ  防水袋
５  縁付き平板
５ａ  立ち上げ縁部
５ｂ  折返し部
【００２２】
６  紐挿通部
７  ストッパ
８  つまみ
８ａ  つまみ
９  開口
10  紐
11  鎖
12  長物
13  スライダ
14  長物収納袋
【図１】
0003108958.tif 000003
【図２】
0003108958.tif 000004
【図３】
0003108958.tif 000005
【図４】
0003108958.tif 000006
【図５】
0003108958.tif 000007
【図６】
0003108958.tif 000008
【図７】
0003108958.tif 000009
【図８】
0003108958.tif 000010
【図９】
0003108958.tif 000011
【図１０】
0003108958.tif 000012
【図１１】
0003108958.tif 000013
【図１２】
0003108958.tif 000014
【図１３】
0003108958.tif 000015